【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
第１の導管の一端に形成された挿口を第２の導管の他端に形成された受口に挿入して上記第１の導管と上記第２の導管とを接続する導管接続装置において、
上記挿口は、
外周面に大径部が形成された端管と、
上記端管に対して上記大径部より内側に挿入され、上記大径部側に突出する脱落防止片が形成された結合部材と、
上記大径部に係合されて上記結合部材の離脱防止する離脱防止部材と、
上記端管の外周面の上記大径部より内側に離間した位置に設けられたストッパ部とを有し、
上記受口は、
上記挿口が挿入される上記挿口の端管より大径の受口部と、
上記受口部の外周面に形成された結合部とを有し、
上記挿口は、上記結合部材が上記脱落防止片を外側に向けて上記端管に対して上記大径部と上記ストッパ部との間に挿入され、上記離脱防止部材が上記大径部に係合され、上記脱落防止片が上記離脱防止部材と重なった状態で上記受口に挿入され、
上記第１の導管と上記第２の導管は、離間して対向した上記結合部材と上記結合部とが結合されて接続され、
上記ストッパ部は、上記第１の導管と上記第２の導管とが接続された後に、上記端管が上記受口部側に移動したとき、上記結合部材に係止され、上記端管が上記受口部側に入り込むことを制限することを特徴とする導管接続装置。
【請求項２】
受口に挿入してこの受口を有する導管と接続される挿口を有する導管において、
上記挿口は、
外周面に大径部が形成された端管と、
上記端管に対して上記大径部より内側に挿入され、上記大径部側に突出する脱落防止片が形成された結合部材と、
上記大径部に係合されて上記結合部材の離脱防止する離脱防止部材と、
上記端管の外周面の上記大径部より内側に離間した位置に設けられたストッパ部とを有し、
上記挿口は、上記結合部材が上記脱落防止片を外側に向けて上記端管に対して上記大径部と上記ストッパ部との間に挿入され、上記離脱防止部材が上記大径部に係合され、上記脱落防止片が上記離脱防止部材と重なった状態で上記受口に挿入され、
上記挿口は、離間して対向した上記結合部材と上記受口とが結合されて受口と接続され、
上記ストッパ部は、上記挿口と上記受口とが接続された後に、上記端管が上記受口側に移動したとき、上記結合部材に係止され、上記端管が上記受口側に入り込むことを制限することを特徴とする導管。
【請求項３】
上記端管は、可撓管に接続されていることを特徴とする請求項２記載の導管。
【請求項４】
第１の導管の一端に形成された挿口を既設管の一端から挿入して既設管の他端から外部に露出させ、この挿口を、既設管の他端で、第２の導管の受口と接続する導管接続方法において、
上記挿口は、外周面に大径部が形成された端管と、
上記端管に対して上記大径部より内側に挿入され、上記大径部側に突出する脱落防止片が形成された結合部材と、
上記大径部に係合されて上記結合部材の離脱防止する離脱防止部材と、
上記端管の外周面の上記大径部より内側に離間した位置に設けられたストッパ部とを有しており、
上記既設管の一端から挿入されて既設管の他端から外部に露出された上記挿口は、上記結合部材が上記脱落防止片を外側に向けて上記端管に対して上記大径部と上記ストッパ部との間に挿入され、上記離脱防止部材が上記大径部に係合され、上記脱落防止片が上記離脱防止部材と重なった状態で上記受口に挿入され、
上記第１の導管と上記第２の導管は、離間して対向した上記結合部材と上記受口とが結合されて接続され、
上記ストッパ部は、上記挿口と上記受口とが接続された後に、上記端管が上記受口側に移動したとき、上記結合部材に係止され、上記端管が上記受口側に入り込むことを制限することを特徴とする導管接続方法。
【請求項５】
第１の導管の一端に形成された挿口を第２の導管の他端に形成された受口に挿入して上記第１の導管と上記第２の導管とを接続する導管接続装置において、
上記受口は、
外周面に大径部が形成され、上記挿口が挿入される上記挿口の端管より大径の受口部と、
上記受口部に対して上記大径部より内側に挿入され、上記大径部側に突出する脱落防止片が形成された結合部材と、
上記大径部に係合されて上記結合部材の離脱防止する離脱防止部材と、
上記受口部の外周面の上記大径部より内側に離間した位置に設けられたストッパ部とを有し、
上記挿口は、
上記受口部に挿入される端管と、
上記端管の外周面に形成された結合部とを有し、
上記受口は、上記結合部材が上記脱落防止片を外側に向けて上記受口部に対して上記大径部と上記ストッパ部との間に挿入され、上記離脱防止部材が上記大径部に係合され、上記脱落防止片が上記離脱防止部材と重なった状態で上記挿口が挿入され、
上記第１の導管と上記第２の導管は、離間して対向した上記結合部材と上記結合部とが結合されて接続され、
上記ストッパ部は、上記第１の導管と上記第２の導管とが接続された後に、上記受口部が上記端管側に移動したとき、上記結合部材に係止され、上記受口部が上記端管側に入り込むことを制限することを特徴とする導管接続装置。
【請求項６】
挿口が挿入されてこの挿口を有する導管と接続される受口を有する導管において、
上記受口は、
外周面に大径部が形成され、上記挿口が挿入される上記挿口の端管より大径の受口部と、
上記受口部に対して上記大径部より内側に挿入され、上記大径部側に突出する脱落防止片が形成された結合部材と、
上記大径部に係合されて上記結合部材の離脱防止する離脱防止部材と、
上記受口部の外周面の上記大径部より内側に離間した位置に設けられたストッパ部とを有し、
上記受口は、上記結合部材が上記脱落防止片を外側に向けて上記受口部に対して上記大径部と上記ストッパ部との間に挿入され、上記離脱防止部材が上記大径部に係合され、上記脱落防止片が上記離脱防止部材と重なった状態で、上記挿口が挿入され、
上記受口は、離間して対向した上記結合部材と上記挿口とが結合されて接続され、
上記ストッパ部は、上記挿口と上記受口とが接続された後に、上記受口部が上記端管側に移動したとき、上記結合部材に係止され、上記受口部が上記端管側に入り込むことを制限することを特徴とする導管。
【請求項７】
上記端管は、可撓管に接続されていることを特徴とする請求項６記載の導管。
【請求項８】
第１の導管の一端に形成された挿口が挿入される第２の導管の他端に形成された受口を既設管の一端から挿入して既設管の他端から外部に露出させ、この受口を、既設管の他端で、第１の導管の挿口と接続する導管接続方法において、
上記受口は、
外周面に大径部が形成され、上記挿口が挿入される上記挿口の端管より大径の受口部と、
上記受口部に対して上記大径部より内側に挿入され、上記大径部側に突出する脱落防止片が形成された結合部材と、
上記大径部に係合されて上記結合部材の離脱防止する離脱防止部材と、
上記受口部の外周面の上記大径部より内側に離間した位置に設けられたストッパ部とを有しており、
上記既設管の一端から挿入されて既設管の他端から外部に露出された上記受口は、上記結合部材が上記脱落防止片を外側に向けて上記受口部に対して上記大径部と上記ストッパ部との間に挿入され、上記離脱防止部材が上記大径部に係合され、上記脱落防止片が上記離脱防止部材と重なった状態で上記挿口が挿入され、
上記第１の導管と上記第２の導管は、離間して対向した上記結合部材と上記挿口とが結合されて接続され、
上記ストッパ部は、上記挿口と上記受口とが接続された後に、上記受口部が上記端管側に移動したとき、上記結合部材に係止され、上記受口部が上記端管側に入り込むことを制限することを特徴とする導管接続方法。
【請求項９】
第１の導管の一端に形成された挿口を第２の導管の他端に形成された受口に挿入して上記第１の導管と上記第２の導管とを接続する導管接続装置において、
上記挿口は、
外周面に第１の大径部が形成された端管と、
上記端管に対して上記第１の大径部より内側に挿入され、上記第１の大径部側に突出する第１の脱落防止片が形成された第１の結合部材と、
上記第１の大径部に係合されて上記第１の結合部材の離脱防止する第１の離脱防止部材と、
上記端管の外周面の上記第１の大径部より内側に離間した位置に設けられた第１のストッパ部とを有し、
上記受口は、
外周面に第２の大径部が形成され、上記挿口が挿入される上記挿口の端管より大径の受口部と、
上記受口部に対して上記第２の大径部より内側に挿入され、上記第２の大径部側に突出する第２の脱落防止片が形成された第２の結合部材と、
上記第２の大径部に係合されて上記第２の結合部材の離脱防止する第２の離脱防止部材と、
上記受口部の外周面の上記第２の大径部より内側に離間した位置に設けられた第２のストッパ部とを有し、
上記挿口は、上記第１の結合部材が上記第１の脱落防止片を外側に向けて上記端管に対して上記第１の大径部と上記第１のストッパ部との間に挿入され、上記第１の離脱防止部材が上記第１の大径部に係合され、上記第１の脱落防止片が上記第１の離脱防止部材と重なった状態にされ、
上記受口は、上記第２の結合部材が上記第２の脱落防止片を外側に向けて上記受口部に対して上記第２の大径部と上記第２のストッパ部との間に挿入され、上記第２の離脱防止部材が上記第２の大径部に係合され、上記第２の脱落防止片が上記第２の離脱防止部材と重なった状態にされ、
上記第１の離脱防止部材が上記第１の大径部に係合され、上記第１の脱落防止片が上記第１の離脱防止部材と重なった状態の上記挿口は、上記第２の離脱防止部材が上記第２の大径部に係合され、上記第２の脱落防止片が上記第２の離脱防止部材と重なった状態の上記受口に挿入され、
上記第１の導管と上記第２の導管は、離間して対向した上記第１の結合部材と上記第２の結合部材とが結合されて接続され、
上記第１のストッパ部は、上記第１の導管と上記第２の導管とが接続された後に、上記端管が上記受口部側に移動したとき、上記第１の結合部材に係止され、上記端管が上記受口部側に入り込むことを制限し、
上記第２のストッパ部は、上記第１の導管と上記第２の導管とが接続された後に、上記受口部が上記端管側に移動したとき、上記第２の結合部材に係止され、上記受口部が上記端管側に入り込むことを制限することを特徴とする導管接続装置。
【請求項１０】
第１の導管の一端に形成された挿口を既設管の一端から挿入して既設管の他端から外部に露出させ、この挿口を、既設管の他端で、第２の導管の受口と接続する導管接続方法において、
上記挿口は、
外周面に第１の大径部が形成された端管と、
上記端管に対して上記第１の大径部より内側に挿入され、上記第１の大径部側に突出する第１の脱落防止片が形成された第１の結合部材と、
上記第１の大径部に係合されて上記第１の結合部材の離脱防止する第１の離脱防止部材と、
上記端管の外周面の上記第１の大径部より内側に離間した位置に設けられた第１のストッパ部とを有しており、
上記受口は、
外周面に第２の大径部が形成され、上記挿口が挿入される上記挿口の端管より大径の受口部と、
上記受口部に対して上記第２の大径部より内側に挿入され、上記第２の大径部側に突出する第２の脱落防止片が形成された第２の結合部材と、
上記第２の大径部に係合されて上記第２の結合部材の離脱防止する第２の離脱防止部材と、
上記受口部の外周面の上記第２の大径部より内側に離間した位置に設けられた第２のストッパ部とを有しており、
上記挿口は、上記第１の結合部材が上記第１の脱落防止片を外側に向けて上記端管に対して上記第１の大径部と上記第１のストッパ部との間に挿入され、上記第１の離脱防止部材が上記第１の大径部に係合され、上記第１の脱落防止片が上記第１の離脱防止部材と重なった状態にされ、
上記受口は、上記第２の結合部材が上記第２の脱落防止片を外側に向けて上記受口部に対して上記第２の大径部と上記第２のストッパ部との間に挿入され、上記第２の離脱防止部材が上記第２の大径部に係合され、上記第２の脱落防止片が上記第２の離脱防止部材と重なった状態にされ、
上記第１の離脱防止部材が上記第１の大径部に係合され、上記第１の脱落防止片が上記第１の離脱防止部材と重なった状態の上記挿口は、上記第２の離脱防止部材が上記第２の大径部に係合され、上記第２の脱落防止片が上記第２の離脱防止部材と重なった状態の上記受口に挿入され、
上記第１の導管と上記第２の導管は、離間して対向した上記第１の結合部材と上記第２の結合部材とが結合されて接続され、
上記第１のストッパ部は、上記第１の導管と上記第２の導管とが接続された後に、上記端管が上記受口部側に移動したとき、上記第１の結合部材に係止され、上記端管が上記受口部側に入り込むことを制限し、
上記第２のストッパ部は、上記第１の導管と上記第２の導管とが接続された後に、上記受口部が上記端管側に移動したとき、上記第２の結合部材に係止され、上記受口部が上記端管側に入り込むことを制限することを特徴とする導管接続方法。
【手続補正２】
【補正対象書類名】明細書
【補正対象項目名】００１０
【補正方法】変更
【補正の内容】
【００１０】
具体的に、本発明に係る導管接続装置は、挿口に特徴を有するものであり、第１の導管の一端に形成された挿口を第２の導管の他端に形成された受口に挿入して上記第１の導管と上記第２の導管とを接続するものであり、上記挿口は、外周面に大径部が形成された端管と、上記端管に対して上記大径部より内側に挿入され、上記大径部側に突出する脱落防止片が形成された結合部材と、上記大径部に係合されて上記結合部材の離脱防止する離脱防止部材と、上記端管の外周面の上記大径部より内側に離間した位置に設けられたストッパ部とを有し、上記受口は、上記挿口が挿入される上記挿口の端管より大径の受口部と、上記受口部の外周面に形成された結合部とを有する。
【手続補正３】
【補正対象書類名】明細書
【補正対象項目名】００１１
【補正方法】変更
【補正の内容】
【００１１】
そして、上記挿口は、上記結合部材が上記脱落防止片を外側に向けて上記端管に対して上記大径部と上記ストッパ部との間に挿入され、上記離脱防止部材が上記大径部に係合され、上記脱落防止片が上記離脱防止部材と重なった状態で上記受口に挿入され、上記第１の導管と上記第２の導管は、離間して対向した上記結合部材と上記結合部とが結合されて接続され、上記ストッパ部は、上記第１の導管と上記第２の導管とが接続された後に、上記端管が上記受口部側に移動したとき、上記結合部材に係止され、上記端管が上記受口部側に入り込むことを制限する。
【手続補正４】
【補正対象書類名】明細書
【補正対象項目名】００１３
【補正方法】変更
【補正の内容】
【００１３】
また、本発明に係る導管接続装置は、受口に特徴を有するものであり、第１の導管の一端に形成された挿口を第２の導管の他端に形成された受口に挿入して上記第１の導管と上記第２の導管とを接続するものであり、上記受口は、外周面に大径部が形成され、上記挿口が挿入される上記挿口の端管より大径の受口部と、上記受口部に対して上記大径部より内側に挿入され、上記大径部側に突出する脱落防止片が形成された結合部材と、上記大径部に係合されて上記結合部材の離脱防止する離脱防止部材と、上記受口部の外周面の上記大径部より内側に離間した位置に設けられたストッパ部とを有し、上記挿口は、上記受口部に挿入される端管と、上記端管の外周面に形成された結合部とを有する。
【手続補正５】
【補正対象書類名】明細書
【補正対象項目名】００１４
【補正方法】変更
【補正の内容】
【００１４】
そして、上記受口は、上記結合部材が上記脱落防止片を外側に向けて上記受口部に対して上記大径部と上記ストッパ部との間に挿入され、上記離脱防止部材が上記大径部に係合され、上記脱落防止片が上記離脱防止部材と重なった状態で上記挿口が挿入され、上記第１の導管と上記第２の導管は、離間して対向した上記結合部材と上記結合部とが結合されて接続され、上記ストッパ部は、上記第１の導管と上記第２の導管とが接続された後に、上記受口部が上記端管側に移動したとき、上記結合部材に係止され、上記受口部が上記端管側に入り込むことを制限する。
【手続補正６】
【補正対象書類名】明細書
【補正対象項目名】００１６
【補正方法】変更
【補正の内容】
【００１６】
また、本発明に係る導管接続装置は、挿口及び受口に特徴を有するものであり、第１の導管の一端に形成された挿口を第２の導管の他端に形成された受口に挿入して上記第１の導管と上記第２の導管とを接続するものであり、上記挿口は、外周面に第１の大径部が形成された端管と、上記端管に対して上記第１の大径部より内側に挿入され、上記第１の大径部側に突出する第１の脱落防止片が形成された第１の結合部材と、上記第１の大径部に係合されて上記第１の結合部材の離脱防止する第１の離脱防止部材と、上記端管の外周面の上記第１の大径部より内側に離間した位置に設けられた第１のストッパ部とを有し、上記受口は、外周面に第２の大径部が形成され、上記挿口が挿入される上記挿口の端管より大径の受口部と、上記受口部に対して上記第２の大径部より内側に挿入され、上記第２の大径部側に突出する第２の脱落防止片が形成された第２の結合部材と、上記第２の大径部に係合されて上記第２の結合部材の離脱防止する第２の離脱防止部材と、上記受口部の外周面の上記第２の大径部より内側に離間した位置に設けられた第２のストッパ部とを有する。
【手続補正７】
【補正対象書類名】明細書
【補正対象項目名】００１７
【補正方法】変更
【補正の内容】
【００１７】
上記挿口は、上記第１の結合部材が上記第１の脱落防止片を外側に向けて上記端管に対して上記第１の大径部と上記第１のストッパ部との間に挿入され、上記第１の離脱防止部材が上記第１の大径部に係合され、上記第１の脱落防止片が上記第１の離脱防止部材と重なった状態にされ、上記受口は、上記第２の結合部材が上記第２の脱落防止片を外側に向けて上記受口部に対して上記第２の大径部と上記第２のストッパ部との間に挿入され、上記第２の離脱防止部材が上記第２の大径部に係合され、上記第２の脱落防止片が上記第２の離脱防止部材と重なった状態にされ、上記第１の離脱防止部材が上記第１の大径部に係合され、上記第１の脱落防止片が上記第１の離脱防止部材と重なった状態の上記挿口は、上記第２の離脱防止部材が上記第２の大径部に係合され、上記第２の脱落防止片が上記第２の離脱防止部材と重なった状態の上記受口に挿入され、上記第１の導管と上記第２の導管は、離間して対向した上記第１の結合部材と上記第２の結合部材とが結合されて接続され、上記第１のストッパ部は、上記第１の導管と上記第２の導管とが接続された後に、上記端管が上記受口部側に移動したとき、上記第１の結合部材に係止され、上記端管が上記受口部側に入り込むことを制限し、上記第２のストッパ部は、上記第１の導管と上記第２の導管とが接続された後に、上記受口部が上記端管側に移動したとき、上記第２の結合部材に係止され、上記受口部が上記端管側に入り込むことを制限する。